(57)【要約】【課題】専用のコネクタを放送受信装置に設けることなく、放送受信装置とＩＣカードとの間の通信を実行することが可能な情報処理装置を実現する。【解決手段】ＴＶチューナ１４０が接続されるバススロット２０は、ＰＣＩバス２に非接続の第１のピン群２３１とＰＣＩバス２に接続される第２のピン群２３２とを有している。第１のピン群２３１は、配線パターン４００等を介してＢ−ＣＡＳカードスロット１３０に電気的に接続される。ＴＶチューナ１４０は、第１のピン群２３１を介してＢ−ＣＡＳカード３０との通信を実行して、鍵データをＢ−ＣＡＳカード３０から取得する。そして、ＴＶチューナ１４０は、鍵データに基づいて、暗号化された放送番組データを復号し、復号された放送番組データを第２のピン群を介してＰＣＩバス２上に出力する。【選択図】      図４
2007124543.tif 000002
【特許請求の範囲】
【請求項１】
システム基板と、
前記システム基板上に設けられるプロセッサと、
前記システム基板上に配設され、前記プロセッサに電気的に結合されるバスと、
暗号化された放送番組データを復号するための情報が格納されたＩＣカードが装着されるＩＣカードスロットと、
前記システム基板上に設けられ、前記バスに非接続の第１のピン群と前記バスに接続される第２のピン群とを含むバススロットと、
前記システム基板上に配設され、前記ＩＣカードスロットと前記バススロットの第１のピン群との間のデータ転送に使用される配線パターンと、
前記バススロットに接続され、前記プロセッサの制御下で、前記暗号化された放送番組データを受信する処理を実行する放送受信装置であって、前記第１のピン群を介して前記ＩＣカードとの通信を実行するカードインタフェース部と、前記カードインタフェース部によって前記ＩＣカードから取得された前記情報に基づいて、前記暗号化された放送番組データを復号する復号部と、前記復号された放送番組データを前記第２のピン群を介して前記バス上に出力するバスインタフェース部とを含む放送受信装置とを具備することを特徴とする情報処理装置。
【請求項２】
前記ＩＣカードスロットが設けられるカード基板と、
前記システム基板上に設けられ、前記配線パターンに接続されるコネクタと、
前記システム基板上の前記コネクタに一端が接続され、他端が前記カード基板に接続されるケーブルとをさらに具備することを特徴とする請求項１記載の情報処理装置。
【請求項３】
前記配線パターンは前記バススロットの第１のピン群と前記コネクタとの間に配設されていることを特徴とする請求項２記載の情報処理装置。
【請求項４】
前記コネクタは前記バススロットから所定距離離れた前記システム基板上の所定位置に設けられていることを特徴とする請求項２記載の情報処理装置。
【請求項５】
前記ケーブルはフレキシブルフラットケーブルであることを特徴とする請求項２記載の情報処理装置。
【請求項６】
前記システム基板上に設けられ、前記ＩＣカード用の電源を前記コネクタおよび前記ケーブルを介して前記ＩＣカードスロットに供給する電源回路をさらに具備することを特徴とする請求項２記載の情報処理装置。
【請求項７】
前記システム基板上に設けられ、前記ＩＣカード用の電源を前記ケーブルを介して前記ＩＣカードスロットに供給する電源回路をさらに具備し、
前記配線パターンは、データ線と、前記ＩＣカードスロットに前記ＩＣカードが装着されたことを示すカード検出信号を前記ＩＣカードスロットから前記放送受信部に伝達するためのカード検出信号線と、前記電源回路を制御するための電源制御線とを含み、
前記カードインタフェース部は、前記第１のピン群を介して前記カード検出信号を受信した場合、前記制御信号線を介して前記電源回路を制御して前記電源回路に前記ＩＣカード用の電源の供給を開始させることを特徴とする請求項２記載の情報処理装置。
【請求項８】
前記ＩＣカードスロットが設けられるカード基板と、
前記バススロットから所定距離離れた前記システム基板上の所定位置に設けられたコネクタと、
前記システム基板上の前記コネクタに一端が接続され、他端が前記カード基板に接続されるケーブルとをさらに具備し、
前記配線パターンは前記バススロットの第１のピン群と前記コネクタとの間に配設されていることを特徴とする請求項１記載の情報処理装置。
【請求項９】
前記ケーブルはフレキシブルフラットケーブルであることを特徴とする請求項８記載の情報処理装置。
【請求項１０】
前記システム基板上に設けられ、前記ＩＣカード用の電源を前記コネクタおよび前記ケーブルを介して前記ＩＣカードスロットに供給する電源回路をさらに具備し、
前記配線パターンは、データ線と、前記ＩＣカードスロットに前記ＩＣカードが装着されたことを示すカード検出信号を前記ＩＣカードスロットから前記放送受信部に伝達するためのカード検出信号線と、前記電源回路を制御するための電源制御線とを含み、
前記カードインタフェース部は、前記第１のピン群を介して前記カード検出信号を受信した場合、前記制御信号線を介して前記電源回路を制御して前記電源回路に前記ＩＣカード用の電源の供給を開始させることを特徴とする請求項８記載の情報処理装置。
【発明の詳細な説明】
【技術分野】
【０００１】
本発明はパーソナルコンピュータのような情報処理装置に関し、特に放送番組データを受信する機能を有する情報処理装置に関する。
【背景技術】
【０００２】
近年、コンピュータにおいては、その高機能化に伴って部品点数が増加し始めている。このため、高密度実装のための様々な技術が開発されている。
【０００３】
特許文献１には、複数のスレート型コネクタをマザーボード上に高密度実装するための技術が開示されている。
【０００４】
ところで、近年では、コンピュータにおいても、ＤＶＤ（Digital Versatile Disc）プレーヤ、ＴＶ装置のようなオーディオ・ビデオ（ＡＶ）機器と同様のＡＶ機能が要求されている。また、最近のコンピュータにおいては、デジタルＴＶ放送信号を受信するための放送受信装置の搭載も要求され始めている。
【０００５】
デジタルＴＶ放送においては、暗号化された放送番組データが放送される。この暗号化された放送番組データを視聴するためには、Ｂ−ＣＡＳ（BS-Conditional Access Systems）カードと称されるＩＣカードを使用しなければならない。この場合、通常は、放送受信装置が搭載されるチューナボードとＩＣカードとの間を接続するための専用のコネクタをチューナボードに取り付けることが必要となる。
【特許文献１】実開平５−４８２２９号公報
【発明の開示】
【発明が解決しようとする課題】
【０００６】
しかし、このような専用のコネクタを取り付けるためには比較的広い実装スペースを放チューナボード上に確保しなければならない、このため、チューナボード自体の寸法が増大されるという問題が引き起こされる。
【０００７】
本発明は上述の事情を考慮してなされたものであり、専用のコネクタを放送受信装置に設けることなく、放送受信装置とＩＣカードとの間の通信を実行することが可能な情報処理装置を提供することを目的とする。
【課題を解決するための手段】
【０００８】
上述の課題を解決するため、本発明は、システム基板と、前記システム基板上に設けられるプロセッサと、前記システム基板上に配設され、前記プロセッサに電気的に結合されるバスと、暗号化された放送番組データを復号するための情報が格納されたＩＣカードが装着されるＩＣカードスロットと、前記システム基板上に設けられ、前記バスに非接続の第１のピン群と前記バスに接続される第２のピン群とを含むバススロットと、前記システム基板上に配設され、前記ＩＣカードスロットと前記バススロットの第１のピン群との間のデータ転送に使用される配線パターンと、前記バススロットに装着され、前記プロセッサの制御下で、前記暗号化された放送番組データを受信する処理を実行する放送受信装置であって、前記第１のピン群を介して前記ＩＣカードとの通信を実行するカードインタフェース部と、前記カードインタフェース部によって前記ＩＣカードから取得された前記情報に基づいて、前記暗号化された放送番組データを復号する復号部と、前記復号された放送番組データを前記第２のピン群を介して前記バス上に出力するバスインタフェース部とを含む放送受信装置とを具備することを特徴とする。
【発明の効果】
【０００９】
本発明によれば、専用のコネクタを放送受信装置に設けることなく、放送受信装置とＩＣカードとの間の通信を実行することが可能となり、放送受信装置の小型化を図ることができる。
【発明を実施するための最良の形態】
【００１０】
以下、図面を参照して本発明の実施形態を説明する。
【００１１】
まず、図１および図２を参照して、本発明の一実施形態に係る情報処理装置の構成について説明する。この情報処理装置は、例えば、バッテリ駆動可能なノートブック型の携帯型パーソナルコンピュータ１０として実現されている。
【００１２】
図１は、携帯型パーソナルコンピュータ１０のディスプレイユニットを開いた状態における斜視図である。本コンピュータ１０は、コンピュータ本体１１とディスプレイユニット１２とから構成されている。コンピュータ本体１１内には、各種電子部品を実装されたシステム基板（マザーボードとも云う）が設けられている。システム基板はプリント回路基板（ＰＣＢ）によって実現されている。また、コンピュータ本体１１内には、例えば地上波デジタルＴＶチューナのようなＴＶチューナが設けられている。このＴＶチューナは、デジタルＴＶ放送番組のような放送番組データを受信する放送受信装置である。通常、デジタル放送番組は暗号化（スクランブル）された状態で放送局から放送される。
【００１３】
ディスプレイユニット１２には、ＬＣＤ（Liquid Crystal Display）１７から構成される表示装置が組み込まれており、そのＬＣＤ１７の表示画面は、ディスプレイユニット１２のほぼ中央に位置されている。
【００１４】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１０を電源オン／オフするためのパワーボタンスイッチ１４およびタッチパッド１５などが配置されている。
【００１５】
コンピュータ本体１１の例えば側壁には、Ｂ−ＣＡＳ（BS-Conditional Access Systems）カードを装着可能なＢ−ＣＡＳカードスロット１３０が設けられている。Ｂ−ＣＡＳカードは、暗号化された放送番組データを復号するための情報（鍵、認証情報、契約情報等）を格納したＩＣカードである。ＴＶチューナは、Ｂ−ＣＡＳカードに格納された情報（以下、鍵データと称する）を用いることにより、暗号化された放送番組データの暗号化を解除することができる。
【００１６】
図２には、本コンピュータ１０のシステム構成の例が示されている。
【００１７】
本コンピュータ１０には、図２に示されているように、ＣＰＵ１１１、ノースブリッジ１１２、主メモリ１１３、グラフィクスコントローラ１１４、サウスブリッジ１１６、Ｂ−ＣＡＳカードスロット１３０、ＴＶチューナ１４０、ハードディスクドライブ（ＨＤＤ）１５０、ＢＩＯＳーＲＯＭ１６０、エンベデッドコントローラ／キーボードコントローラＩＣ（ＥＣ／ＫＢＣ）１７０、電源回路１８０、光ディスクドライブ（ＯＤＤ）１９０等が設けられている。ＣＰＵ１１１、ノースブリッジ１１２、主メモリ１１３、グラフィクスコントローラ１１４、サウスブリッジ１１６、ＢＩＯＳーＲＯＭ１６０、エンベデッドコントローラ／キーボードコントローラＩＣ（ＥＣ／ＫＢＣ）１７０、および電源回路１８０は、システム基板上に実装されている。
【００１８】
ＣＰＵ１１１は本コンピュータ１０の動作を制御するために設けられたプロセッサであり、ハードディスクドライブ（ＨＤＤ）１５０から主メモリ１１３にロードされる、オペレーティングシステム（ＯＳ）および各種アプリケーション／ユーティリティプログラムを実行する。また、ＣＰＵ１１１は、ＢＩＯＳ−ＲＯＭ１６０に格納されたＢＩＯＳ（Basic Input Output System）も実行する。
【００１９】
ノースブリッジ１１２は、ＣＰＵ１１１のローカルバスとサウスブリッジ１１６との間を接続するブリッジデバイスである。ノースブリッジ１１２は、ＡＧＰ（Accelerated Graphics Port）バスなどを介してグラフィクスコントローラ１１４との通信を実行する機能も有している。
【００２０】
グラフィクスコントローラ１１４は本コンピュータ１０のディスプレイモニタとして使用されるＬＣＤ１７を制御する表示コントローラである。このグラフィクスコントローラ１１４はビデオメモリ（ＶＲＡＭ）１１４Ａを有しており、ＯＳ／アプリケーションプログラムによってビデオメモリ１１４Ａに書き込まれた映像データからＬＣＤ１７に送出すべき表示信号を生成する。
【００２１】
サウスブリッジ１１６は、ＰＣＩ（Peripheral Component Interconnect）バス２およびＬＰＣ（Low Pin Count）バス３にそれぞれ接続されている。ＰＣＩバス２は、各種デバイス間のデータ転送に使用されるバスである。ＰＣＩバス２は、サウスブリッジ１１６、ノースブリッジ１１２を介して、ＣＰＵ１１１にも電気的に接続されている。ＣＰＵ１１１は、ＰＣＩバス２を介して、ＰＣＩバス２上の各デバイスとの通信を実行することができる。
【００２２】
また、サウスブリッジ１１６は、ＨＤＤ１５０およびＯＤＤ１９０を制御するためのＩＤＥ（Integrated Drive Electronics）コントローラ１１７を備えている。
【００２３】
ＰＣＩバス２上には、バススロット２０が接続されている。このバススロット２０は、例えばＭｉｎｉＰＣＩバススロットによって実現されている。バススロット２０には、ＴＶチューナ１４０が接続されている。ＴＶチューナ１４０は、バススロット２０に装着可能な、例えばＭｉｎｉＰＣＩカードの規格に準拠したチューナボードとして実現されている。ＴＶチューナ１４０はバススロット２０を介してＰＣＩバス２に接続され、ＣＰＵ１１１の制御下で、暗号化された放送番組データを受信する処理を実行する。
【００２４】
このＴＶチューナ１４０には、チューナモジュール１４１およびＢ−ＣＡＳ制御部１４２が設けられている。チューナモジュール１４１は、アンテナ１を介して外部からデジタル放送番組データを受信する。具体的には、チューナモジュール１４１は、デジタル放送信号を受信し、その受信したデジタル信号を復調することによってデジタル放送信号から所定のチャンネルの放送番組データに対応するトランスポートストリーム（ＴＳ）を取り出す。Ｂ−ＣＡＳ制御部１４２は、Ｂ−ＣＡＳカード３０に格納された鍵データに基づいて、チューナモジュール１４１によって受信されたデジタル放送番組データ（トランスポートストリーム）の暗号化を解除する復号処理（デスクランブル処理）を実行する。
【００２５】
パススロット２０は、例えば１２８本のピン群を含むコネクタから構成されている。１２８本のピン群は、ＰＣＩバス２に非接続の第１のピン群とＰＣＩバス２に接続された第２のピン群とを含む。１２８本のピン群の内の例えば５本のピン群が第１のピン群として使用され、残りの１２３本のピン群が第２のピン群として使用される。第１のピン群には、Ｂ−ＣＡＳカード３０との通信を実行するためのインターフェース信号（Ｂ−ＣＡＳインターフェース信号）が割り当てられている。すなわち、第１のピン群は、Ｂ−ＣＡＳカードスロット１３０を介してＢ−ＣＡＳカード３０との通信を実行するために使用される。第１のピン群は、ＰＣＩバス２ではなく、システムボード上に配設された配線パターンに接続される。この配線パターンは、第１のピン群とＢ−ＣＡＳカードスロット１３０との間のデータ転送に使用されるサイドバンドバスとして機能する。
【００２６】
バススロット２０が有する１２８本のピン群の中には、例えばサウンドコーデック用のピン群として確保されたピン群が存在する。これらピン群はＴＶチューナ１４０とＰＣＩバス２との間の通信には使用されない空きピン群である。本実施形態では、これら空きピン群が上述の第１のピン群として割り当てられる。
【００２７】
第１のピン群は、上述したようにシステムボード上の配線パターンを介してＢ−ＣＡＳカードスロット１３０に電気的に接続されている。ＴＶチューナ１４０内のＢ−ＣＡＳ制御部１４２は、第１のピン群およびシステムボード上の配線パターンを介してＢ−ＣＡＳカード３０との通信を実行する。
【００２８】
また、第１のピン群のうちの一本のピンには、電源回路１４９が接続されている。電源回路１４９は、Ｂ−ＣＡＳカードスロット１３０を介してＢ−ＣＡＳカード３０に電源電圧Ｖｃｃを供給する。
【００２９】
Ｂ−ＣＡＳカードスロット１３０に取り外し自在に装着されるＢ−ＣＡＳカード３０には、ＩＣチップ３１が埋め込まれている。このＩＣチップ３１には、上述の鍵データが格納されている。
【００３０】
エンベデッドコントローラ／キーボードコントローラＩＣ（ＥＣ／ＫＢＣ）１７０は、電力管理のためのエンベデッドコントローラと、キーボード（ＫＢ）１３およびタッチパッド１５を制御するためのキーボードコントローラとが集積された１チップマイクロコンピュータである。このＥＣ／ＫＢＣ１７０は、パワーボタンスイッチ１４がユーザによって押下された時、電源回路１８０と共同して本コンピュータ１０をパワーオンする。電源回路１８０は、バッテリ１８１、またはＡＣアダプタ１８２を介して供給される外部電源を用いて、本コンピュータ１０の各コンポーネントに供給すべきシステム電源を生成する。
【００３１】
次に、図３を参照して、Ｂ−ＣＡＳ制御部１４２の構成例を説明する。
【００３２】
Ｂ−ＣＡＳ制御部１４２は、カードインタフェース（カードＩ／Ｆ）１４３、トランスポートストリーム（ＴＳ）処理部１４５、デスクランブル処理部１４６、ＰＣＩインターフェース（ＰＣＩ  Ｉ／Ｆ）１４７およびコントローラ１４８等から構成されている。コントローラ１４８は、電源回路１４９、およびＢ−ＣＡＳ制御部１４２の各コンポーネントを制御するＬＳＩ（Large-scale integration）である。
【００３３】
カードインタフェース（カードＩ／Ｆ）１４３は、上述の第１のピン群を介してＢ−ＣＡＳカード３０との通信を実行して、鍵データをＢ−ＣＡＳカード３０から取得する。デスクランブル処理部１４６は、カードインタフェース（カードＩ／Ｆ）１４３によってＢ−ＣＡＳカード３０から取得された鍵データに基づいて、暗号化された放送番組データを復号する（暗号化解除）復号部である。すなわち、デスクランブル処理部１４６は、トランスポートストリーム（ＴＳ）処理部１４５から暗号化されたトランスポートストリームを受け取り、そのトランスポートストリームの暗号化を鍵データを用いて解除する。ＰＣＩインターフェース（ＰＣＩ  Ｉ／Ｆ）１４７は、復号された放送番組データを上述の第２のピン群を介してＰＣＩバス２上に出力するバスインタフェース部である。
【００３４】
復号された放送番組データは、ＰＣＩバス２を介して主メモリ１１３に転送され、その後ＣＰＵ１１１によってＨＤＤ１５０に格納されるか、またはＣＰＵ１１１によってデコードされた後に再生される。
【００３５】
Ｂ−ＣＡＳカードスロット１３０には、コネクタ２１２が接続されている。Ｂ−ＣＡＳカードスロット１３０はコネクタ２１２を介してカードインタフェース１４３に接続されている。Ｂ−ＣＡＳカードスロット１３０は、クロック信号線、上述の鍵データを伝送するデータ線、Ｂ−ＣＡＳカード３０がＢ−ＣＡＳカードスロット１３０に挿入されたことを示すカードディテクト信号（ＣＤ）をＢ−ＣＡＳカードスロット１３０からＴＶチューナ１４０に伝達するためのカードディテクト信号（ＣＤ）線、リセット信号線、電源Ｖｃｃ線を介してコネクタ２１２に接続されている。
【００３６】
Ｂ−ＣＡＳカードスロット１３０内には、Ｂ−ＣＡＳカード３０のＩＣチップ３１に接触する電極部１３１およびマイクロスイッチ１３２が設けられている。Ｂ−ＣＡＳカード３０がＢ−ＣＡＳカードスロット１３０に挿入された時、Ｂ−ＣＡＳカード３０によってマイクロスイッチ１３２が押され、これによってカードディテクト信号（ＣＤ）が発生する。具体的には、マイクロスイッチ１３２が押された時、カードディテクト信号（ＣＤ）の電圧が例えばハイレベルからロウレベルに変化する。この変化に応じて、カードインタフェース１４３は、Ｂ−ＣＡＳカード３０が挿入されたことを検出する。Ｂ−ＣＡＳカード３０がＢ−ＣＡＳカードスロット１３０から抜かれた時、カードディテクト信号（ＣＤ）の電圧はロウレベルからハイレベルに変化する。この変化に応じて、カードインタフェース１４３は、Ｂ−ＣＡＳカード３０がＢ−ＣＡＳカードスロット１３０からイジェクトされたことを検出する。
【００３７】
ロウレベルのカードディテクト信号（ＣＤ）を受信した時、カードインタフェース１４３は、電源回路１４９を制御して、電源回路１４９にＢ−ＣＡＳカード３０用の電源Ｖｃｃの供給を開始させる。電源回路１４９から出力される電源Ｖｃｃは、コネクタ２１２、Ｂ−ＣＡＳカードスロット１３０を介してＢ−ＣＡＳカード３０に供給される。
【００３８】
この後、カードインタフェース１４３は、ＢーＣＡＳカード３０から鍵データを取得する。鍵データを取得する処理は、定期的に繰り返し実行される。
【００３９】
ＴＳ処理部１４５は、チューナモジュール１４１によって受信された放送番組データを構成しているトランスポートストリーム（ＴＳ）を受信する。そしてＴＳ処理部１４５は、受信されたトランスポートストリーム（ＴＳ）をデスクランブル処理部１４６に送信する。また、ＴＳ処理部１４５は、デスクランブル処理部１４６によって復号されたトランスポートストリームを受信するとともに、その復号されたトランスポートストリームをＰＣＩインターフェース１４７に送信する。さらに、ＴＳ処理部１４５は、カードインタフェース１４３によって取得された鍵データをデスクランブル処理部１４６に送信する。
【００４０】
デスクランブル処理部１４６は、暗号化されたトランスポートストリームを鍵データに基づいて復号する復号処理を実行し、そして復号されたトランスポートストリームをＴＳ処理部１４５に送信する。
【００４１】
次に図４を参照して、ＴＶチューナ１４０とＢ−ＣＡＳカードスロット１３０との間を接続するための具体的な構造の第１の例を説明する。
【００４２】
ＴＶチューナ１４０は上述したようにシステム基板２００上に設けられたバススロット２０に装着されるＴＶチューナボードとして実現されており、バススロット２０内のコネクタに接続されるコネクタを有している。ＴＶチューナ１４０のコネクタとバススロット２０のコネクタは同一のピンアサインを有している。すなわち、ＴＶチューナ１４０のコネクタには、バススロット２０のコネクタに設けられた上述の第１のピン群２３１にそれぞれ対応するピン群と、バススロット２０のコネクタに設けられた上述の第２のピン群２３２にそれぞれ対応するピン群とが設けられている。
【００４３】
上述したように、バススロット２０の第２のピン群２３２はシステム基板２００上に配設されたＰＣＩバス２に接続されている。一方、バススロット２０の第２のピン群２３２は、ＰＣＩバス２には接続されず、システム基板２００上に配設された配線パターン４００の一端に接続されている。配線パターン４００は、ＰＣＩバス２と同じく、システム基板２００上のプリント配線によって実現されている。
【００４４】
配線パターン４００の他端は、バススロット２０から所定距離離れたシステム基板２００上の所定位置に設けられたコネクタ２０２に接続されている。
【００４５】
配線パターン４００は、パワーオン／パワーオフ信号線、リセット信号線、データ線、クロック信号線、カードディテクト信号（ＣＤ）線の５本の信号線から構成されている。パワーオン／パワーオフ信号線は、システム基板２００上に設けられた電源回路１４９を制御するための電源制御線である。リセット信号線は、Ｂ−ＣＡＳカード３０にリセット信号を供給するための信号線である。データ線はＴＶチューナ１４０とＢ−ＣＡＳカード３０との間のデータ転送に使用される信号線である。Ｂ−ＣＡＳカード３０に格納された鍵データは、データ線を介してＴＶチューナ１４０に送られる。クロック信号線はクロック信号をＢ−ＣＡＳカード３０に供給するための信号線である。カードディテクト信号（ＣＤ）線は、Ｂ−ＣＡＳカードスロット１３０からＴＶチューナ１４０に上述のカードディテクト信号（ＣＤ）を伝達するための信号線である。
【００４６】
Ｂ−ＣＡＳカードスロット１３０は、プリント配線基板から構成されたＢ−ＣＡＳカード基板２１０上に設けられている。このように、Ｂ−ＣＡＳカードスロット１３０をシステム基板２００とは異なる基板上に実装するのは、Ｂ−ＣＡＳカードスロット１３０の配置位置の自由度を高めるためである。システム基板２００上のコネクタ２０２とＢ−ＣＡＳカード基板２１０との間は、フレキシブルフラットケーブル（ＦＦＣ）のようなケーブル２１１によって接続されている。すなわち、ケーブル２１１の一端はシステム基板２００上のコネクタ２０２に接続され、ケーブル２１１の他端はＢ−ＣＡＳカード基板２１０上に設けられたコネクタ２１２に接続されている。
【００４７】
このように、ＴＶチューナ１４０は、バススロット２０の第１のピン群２３１、配線パターン４００、およびケーブル２１１を介して、Ｂ−ＣＡＳカード基板２１０上のＢ−ＣＡＳカードスロット１３０に接続される。
【００４８】
通常、フレキシブルフラットケーブル（ＦＦＣ）のようなケーブル２１１は、システム基板２００上のプリント配線に比べ、ノイズ対策が難しい。このため、ＴＶチューナ１４０は、Ｂ−ＣＡＳインターフェース信号を伝達するケーブル２１１から放射される電磁波などの不要輻射の影響を受ける可能性がある。このため、ケーブル２１１の位置を、ＴＶチューナ１４０から遠ざける必要がある。
【００４９】
図４においては、ケーブル２１１が接続されるコネクタ２０２は配線パターン４００を介してバススロット２０に接続されているので、ケーブル２１１の位置をＴＶチューナ１４０から十分に遠ざけることが可能となる。
【００５０】
したがって、図５に示すようにＴＶチューナ１４０とＢ−ＣＡＳカード基板２１０との間をケーブル２１４によって直接接続する構造に比べて、ケーブル２１４から放射される電磁波などの不要輻射によるＴＶチューナ１４０への影響を少なくすることができる。
【００５１】
また、図４の構造においては、コネクタ２０２をシステム基板２００上の任意の位置に設けることができる。したがって、ケーブル２１１の長さが最短になるようにコネクタ２０２の位置を決定することができる。ケーブル２１１の長さが短くなればなるほどＢ−ＣＡＳインターフェース信号による不要輻射を少なくすることが出来る。
【００５２】
また、図５に示すようにＴＶチューナ１４０とＢ−ＣＡＳカード基板２１０との間をケーブル２１４によって直接接続する構造においては、ＴＶチューナ１４０上にＢ−ＣＡＳインターフェース用の専用のコネクタ２０３を設けることが必要となる。このコネクタ２０３の実装スペースを確保するために、ＴＶチューナ１４０のサイズは増大される。
【００５３】
本実施形態においては、バススロット２０の第１のピン群２３１にＢ−ＣＡＳインターフェース信号を割り当てているので、図５の構造とは異なり、専用のコネクタ２０３をＴＶチューナ１４０上に設ける必要は無い。これにより、図５の構造に比べ、ＴＶチューナ１４０の省スペース化を実現することが出来る。
【００５４】
次に、図６を参照して、ＴＶチューナ１４０とＢ−ＣＡＳカードスロット１３０との間を接続するための具体的な構造の第２の例を説明する。
【００５５】
図６においては、Ｂ−ＣＡＳカードスロット１３０はシステム基板２００上に設けられている。Ｂ−ＣＡＳカードスロット１３０とバススロット２０の第１のピン群２３１との間は、配線パターン４００によって直接接続されている。この構造においても、ＴＶチューナ１４０の省スペース化を実現することができる。また、ケーブル２１１を用いる必要もないので、電波対策も容易に強化することが出来る。
【００５６】
以上のように、本実施形態の情報処理装置においては、既存のバススロットのコネクタの空きピン群にＢ−ＣＡＳインターフェース信号が割り当てられている。これによって、ＴＶチューナ１３０上にＢ−ＣＡＳカード３０との通信のための専用のコネクタを設けることなく、ＴＶチューナ１３０とＢ−ＣＡＳカード３０との間の通信を実行することができる。
【００５７】
なお、通常は、システム基板２００の表面および裏面それぞれに配線層が形成されており、バイアホール等を介して表面上の任意の配線を裏面上の他の任意の配線と接続することができる。よって、ＰＣＩバス２、配線パターン４００、バススロット２０、およびコネクタ２０２の中の一部をシステム基板２００の表面に実装し、残りの一部をシステム基板２００の裏面に実装することもできる。
【００５８】
また、本発明は、上記実施形態そのままに限定されるものではなく、実施段階では、その要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。さらに異なる実施形態に構成要素を適宜組み合わせてもよい。
【図面の簡単な説明】
【００５９】
【図１】本発明の一実施形態に係る情報処理装置の外観を示す斜視図。
【図２】図１の情報処理装置のシステム構成の例を示すブロック図。
【図３】図１の情報処理装置に設けられたＴＶチューナ内のＢ−ＣＡＳ制御部の構成例を説明するためのブロック図。
【図４】図１の情報処理装置内に設けられたＴＶチューナとＢ−ＣＡＳカードスロットとの間を接続するための具体的な構造の第１の例を説明するための図。
【図５】Ｂ−ＣＡＳカードスロットとの通信のためのコネクタをＴＶチューナに設けた様子を示す図。
【図６】図１の情報処理装置内に設けられたＴＶチューナとＢ−ＣＡＳカードスロットとの間を接続するための具体的な構造の第２の例を説明するための図。
【符号の説明】
【００６０】
２…ＰＣＩバス、１０…パーソナルコンピュータ、２０…バススロット、３０…Ｂ−ＣＡＳカード、１３０…Ｂ−ＣＡＳカードスロット、１４２…Ｂ−ＣＡＳ制御部、１４９…電源回路、２００…システム基板（マザーボード）、２１０…Ｂ−ＣＡＳカード基板、２３１…第１のピン群、２３２…第２のピン群。
【図１】
2007124543.tif 000003
【図２】
2007124543.tif 000004
【図３】
2007124543.tif 000005
【図４】
2007124543.tif 000006
【図５】
2007124543.tif 000007
【図６】
2007124543.tif 000008